(57)【要約】【課題】倒伏した便蓋が便座ボックス等のケースの上面の略全体を覆い、便蓋とケースとの間隙に塵やゴミが入ることが防止されると共に、人体検知センサも一体的に組み込むことができる便蓋装置を提供する。【解決手段】洋風便器２０の後部上面に便座ボックス２１が設置され、この便座ボックス２１の前部に支軸２２を介して便座２３が起倒回動可能に取り付けられている。便座ボックス２１の後部上縁に便蓋２４が支軸２５を介して起倒回動可能に取り付けられている。支軸２５が垂下片２４ａの開口２４ｂに挿通されている。この支軸２５の先端にセンサユニット２６が取り付けられている。便蓋２４は便座ボックス２１の上面の全体を覆うものであり、便蓋２４を閉めたときには埃やゴミが入り込む隙間が無い。【選択図】  図１
2004267348.tif 000002
【特許請求の範囲】
【請求項１】
洋風便器の後部上面に設置されたケースと、該ケースに対し起倒回動可能に連結された便蓋とを有し、該便蓋は倒伏時に該ケース上面の略全体を覆う便蓋装置において、
該便蓋の側面部分に人体検知センサが配置されていることを特徴とする便蓋装置。
【請求項２】
請求項１において、該ケースから便蓋の支軸が突設され、該支軸が便蓋の側面部分を貫通しており、
該支軸は固定設置されており、
該支軸の先端部に前記人体検知センサが設けられていることを特徴とする便蓋装置。
【請求項３】
洋風便器の後部上面に設置されたケースと、該ケースに対し起倒回動可能に連結された便蓋とを有し、該便蓋は倒伏時に該ケース上面の略全体を覆う便蓋装置において、
該便蓋の後縁の中央部に切欠部が設けられ、該ケース上面の後部に人体検知センサが設けられており、便蓋が倒伏したときに該人体検知センサが該切欠部に臨むことを特徴とする便蓋装置。
【請求項４】
請求項３において、該切欠部は、該便蓋前方側に向って左右幅が徐々に小さくなる形状であることを特徴とする便蓋装置。
【請求項５】
請求項３又は４において、該ケース上面の後部に、該切欠部と略同一大きさ又はそれよりも大きい、便蓋とは異色の信号光透過部が設けられ、この信号光透過部の裏側に人体検知センサが配置されていることを特徴とする便蓋装置。
【発明の詳細な説明】
【０００１】
【発明の属する技術分野】
本発明は、洋風便器に設置される便蓋装置に関するものであり、特に便蓋がケース上面の略全体を覆う便蓋装置に関する。
【０００２】
【従来の技術】
洋風便器の後部上面に便座ボックスが設置され、この便座ボックスに便座及び便蓋を起倒方向回動可能に取り付けた洋風便器設備が広く用いられている。
【０００３】
図６は便座ボックスを備えた洋風便器の一例を示しており、洋風便器１の後部上面にロータンク２が設置され、このロータンク２の前側に便座ボックス３が設置されている。この便座ボックス３に対し便座４と便蓋５とが起倒方向（上下方向）回動可能に連結されている。この便座ボックス３内には、便座着座者の臀部を温水で洗浄するための温水洗浄装置等が設置されている。この便座ボックス３の上面の前部に人体検知センサが設置されている。この人体検知センサの検知信号に基づいて、便蓋が自動的に開閉したり、あるいは便器の自動洗浄が行われる。
【０００４】
この便蓋５と便座ボックス３との間には便蓋５の起倒回動を許容するように所定の間隙があいている。なお、この間隙を過度に狭くすると、便蓋５を起立させるときに便蓋５の後縁が便座ボックス３に当ってしまう。
【０００５】
このように便蓋５と便座ボックス３との隙間があいていると、この隙間に塵やゴミが入ることがある。
【０００６】
このような便蓋と便座ボックスとの隙間が全く生じないタイプの便蓋装置として、特開２００１−１１５５２６号の図３３，３４には、添付の図７（ａ），（ｂ）に示すように、便蓋１０を便座ボックス１２の後縁上部に支軸１１によって枢支したものが記載されている。なお、図７において、符号１３はロータンク、符号１４は手洗用鉢部を示す。
【０００７】
【特許文献１】
特開２００１−１１５５２６号公報
【０００８】
【発明が解決しようとする課題】
上記特開２００１−１１５５２６号公報では、便座ボックス上面に人体検知センサを配置できないという不便がある。即ち、図７において便座ボックス１２の上面に人体検知センサを配置したのでは、便蓋１０の倒伏時に人体検知センサが便蓋１０で覆われてしまう。
【０００９】
本発明は、倒伏した便蓋が便座ボックス等のケースの上面の略全体を覆い、便蓋とケースとの間隙に塵やゴミが入ることが防止されると共に、人体検知センサも一体的に組み込むことができる便蓋装置を提供することを目的とする。
【００１０】
【課題を解決するための手段】
本発明（請求項１）の便蓋装置は、洋風便器の後部上面に設置されたケースと、該ケースに対し起倒回動可能に連結された便蓋とを有し、該便蓋は倒伏時に該ケース上面の略全体を覆う便蓋装置において、該便蓋の側面部分に人体検知センサが配置されていることを特徴とするものである。
【００１１】
かかる便蓋装置にあっては、便蓋の側面部分に人体検知センサを設けているので、便蓋を倒伏させても人体検知センサによって人体を検知することができる。
【００１２】
この場合、ケースから便蓋の支軸が突設され、該支軸が便蓋の側面部分を貫通しており、該支軸は固定設置されており、該支軸の先端部に前記人体検知センサが設けられている構成（請求項２）とすることが好ましい。このようにすれば、便蓋を回動させても人体検知センサの指向方向は不変であり、人体を確実に検知することができる。
【００１３】
本発明（請求項３）の便蓋装置は、洋風便器の後部上面に設置されたケースと、該ケースに対し起倒回動可能に連結された便蓋とを有し、該便蓋は倒伏時に該ケース上面の略全体を覆う便蓋装置において、該便蓋の後縁の中央部に切欠部が設けられ、該ケース上面の後部に人体検知センサが設けられており、便蓋が倒伏したときに該人体検知センサが該切欠部に臨むことを特徴とするものである。
【００１４】
かかる便蓋装置においても、便蓋の状態にかかわりなく人体検知センサによって人体を検知することができる。
【００１５】
この場合、切欠部は、該便蓋前方側に向って左右幅が徐々に小さくなる形状としてもよい（請求項４）。このようにすれば、切欠部の角縁部が目立たず、見栄えが良くなると共に、角縁部の欠け等の損傷が防止される。
【００１６】
また、このケース上面の後部に、該切欠部と略同一大きさ又はそれよりも大きい、便蓋とは異色の信号光透過部が設けられ、この信号光透過部の裏側に人体検知センサが配置されている構成としてもよい（請求項５）。このようにすれば、便蓋が倒伏したときに切欠部が明瞭な模様として視覚されるようになり、外観上の見栄えが良好となる。
【００１７】
【発明の実施の形態】
以下、図面を参照して実施の形態について説明する。
【００１８】
図１は実施の形態に係る便蓋装置の斜視図であり、（ａ）図は便蓋が倒伏した状態を示し、（ｂ）図は便蓋が起立した状態を示している。図２はこの便蓋装置を備えた洋風便器の側面図である。
【００１９】
洋風便器２０の後部上面に便座ボックス２１が設置され、この便座ボックス２１の前部に支軸２２を介して便座２３が起倒回動可能に取り付けられている。便座ボックス２１の後部上縁に便蓋２４が支軸２５を介して起倒回動可能に取り付けられている。
【００２０】
便座ボックス２１の前面は、前方ほど下位となる下り斜面となっている。この斜面の左右方向の中央部には、膨出部２１ａが突設されている。
【００２１】
便座２３は、左右の後部から後方に延出した延出部２３ａ，２３ａを有しており、この延出部２３ａ，２３ａが膨出部２１ａの左右両側に配置されている。
【００２２】
この便蓋２４は、左右の両サイドに沿って垂下片２４ａ，２４ａが延設されており、便蓋２４の後部の該延出部２４ａ，２４ａが便座ボックス２１の上部の左右外方に配置されている。
【００２３】
便座ボックス２１の正面向って右側の側面の最上方且つ最後方から前記支軸２５が突設されている。この支軸２５が垂下片２４ａの開口２４ｂに挿通されている。この支軸２５の先端にセンサユニット２６が取り付けられている。このセンサユニット２６は、円筒形のケーシングと、このケーシング内に配置された赤外線発光素子及び受光素子を有する人体検知センサと、該ケーシングに設けられた赤外線透過部２６ａとを備えている。支軸２５は円筒形であり、その内部に人体検知センサへの接続用のハーネス（図示略）が挿通されている。
【００２４】
図示はしないが、便座ボックス２１の正面向って左側の側面からは、便蓋２４を起倒回動させるための駆動軸が突設されている。この駆動軸は支軸２５と同軸配置されている。駆動軸は、便蓋２４の左側の垂下片２４ａに連結されている。便座ボックス２１内に配置されたモータにより該駆動軸が回転され、これにより便蓋２４が起倒回動する。このモータは、人体検知センサの検知信号に基づいて制御される。
【００２５】
このように構成された便蓋装置は、便蓋２４が便座ボックス２１の上面の全体を覆うものであり、便蓋２４を閉めたときには埃やゴミが入り込む隙間が無く、見栄えもきわめて良い。また、支軸２５の先端にセンサユニット２６が固定状に設けられており、便蓋２４及び便座２３の姿勢が如何なるものであっても人体を確実に検知することができる。
【００２６】
図４，５を参照して別の実施の形態について説明する。
【００２７】
この実施の形態にあっては、便蓋２４Ａの後縁の左右方向の中央に切欠部３０が設けられている。この切欠部３０は、便蓋２４Ａの前方に向って幅が徐々に小さくなる形状であり、特にこの実施の形態では略円弧形となっている。
【００２８】
便座ボックス２１Ａの上面の後縁には、この切欠部３０と重なる位置に赤外線透過部３１が設けられており、この赤外線透過部３１の裏側に赤外線による人体検知センサが設けられている。この赤外線透過部３１は略円弧形であり、切欠部３０と略同一大きさとなっている。この赤外線透過部３１は略黒色の合成樹脂よりなる。便座ボックス２１は、アイボリー、グレー、ピンク等の淡色の合成樹脂製である。
【００２９】
この実施の形態では、便蓋２４Ａの支軸２５（図４〜６では図示略）は便蓋２４Ａの垂下片２４ａを貫通していない。図４〜６のその他の構成は図１〜３と同様であり、同一符号は同一部分を示している。
【００３０】
この便蓋装置にあっても、便蓋２４Ａが倒伏したときには便座ボックス２１Ａの赤外線透過部３１以外のすべての上面が便蓋２４Ａによって覆われる。この実施の形態では、便蓋２４Ａが倒伏したときには切欠部３０に対し赤外線透過部３１が重なる。この赤外線透過部３１は濃色であり、切欠部３０を際立たせ、該切欠部３０を模様として視覚させるので、便蓋装置の美観が良好である。
【００３１】
この実施の形態では、図４（ａ）のように便蓋２４Ａを倒伏させているときには切欠部３０を通して人体を検知できる。また、図４（ｂ）のように便蓋２４Ａを起立させ便座２３を倒伏させているときにも人体を検知でき、図５のように便座２３を起立させたときにも便座２３の孔２３ｂを通して人体を検知することができる。
【００３２】
なお、上記実施の形態は、いずれも本発明の一例であり、本発明は図示以外の形態をもとりうる。
【００３３】
【発明の効果】
以上の通り、本発明によると、倒伏した便蓋が便座ボックス等のケースの上面の略全体を覆い、便蓋とケースとの間隙に塵やゴミが入ることが防止されると共に、人体検知センサも一体的に組み込むことができる便蓋装置が提供される。
【図面の簡単な説明】
【図１】実施の形態に係る便蓋装置の斜視図である。
【図２】図１の便蓋装置の側面図である。
【図３】図１の便蓋装置の支軸部分の分解斜視図である。
【図４】別の実施の形態に係る便蓋装置の斜視図である。
【図５】図４の便蓋装置の側面図である。
【図６】従来例の斜視図である。
【図７】別の従来例の側面図である。
【符号の説明】
２０  洋風便器
２１，２１Ａ  便座ボックス
２３  便座
２４，２４Ａ  便蓋
２５  支軸
２６  センサユニット
３０  切欠部
３１  赤外線透過部
【図１】
2004267348.tif 000003
【図２】
2004267348.tif 000004
【図３】
2004267348.tif 000005
【図４】
2004267348.tif 000006
【図５】
2004267348.tif 000007
【図６】
2004267348.tif 000008
【図７】
2004267348.tif 000009